(57)【要約】【課題】所望の位置でのテープカットを容易に行うことができる粘着テープホルダを提供する。【解決手段】巻回された粘着テープを保持する粘着テープホルダＨであって、保持される粘着テープの周面と対向する繰出面１０と、保持される粘着テープの側面と対向する保持面１１と、を有し、繰出面１０は、保持される粘着テープの接線と平行となるように設けられた第１の平面１０ａと、第１の平面１０ａと交差する第２の平面１０ｂを含み、第１の平面１０ａと第２の平面１０ｂにより角部１０ｃが形成され、第１の平面１０aまたは第２の平面１０ｂの少なくとも一方に、粘着テープが繰り出されるテープ口１８が設けられ、角部１０ｃの頂点に位置する辺からテープ口１８の一端部に至る所定の長さの押圧面１９が設けられている。【選択図】図１
2020079125.tif 000002
【特許請求の範囲】
【請求項１】
巻回された粘着テープを保持する粘着テープホルダであって、
保持される前記粘着テープの周面と対向する繰出面と、
保持される前記粘着テープの側面と対向する保持面と、を有し、
前記繰出面は、保持される前記粘着テープの接線と平行となるように設けられた第１の平面と、前記第１の平面と交差する第２の平面を含み、前記第１の平面と前記第２の平面により角部が形成され、
前記第１の平面または前記第２の平面の少なくとも一方に、前記粘着テープが繰り出されるテープ口が設けられ、
前記角部の頂点に位置する辺から前記テープ口の一端部に至る所定の長さの押圧面が設けられている粘着テープホルダ。
【請求項２】
前記テープ口は、粘着テープの貼付対象に対して垂直方向に配置される面に設けられている請求項１記載の粘着テープホルダ
【請求項３】
前記テープ口の他端部側に凸部が設けられている請求項１又は２記載の粘着テープホルダ。
【請求項４】
前記繰出面は、前記テープ口が設けられた平面に対して所定の角度をもって連続するように設けられた第３の平面と、第３の平面に対して所定の角度をもって連続するように設けられた第４の平面と、を含み、当該３つの平面により屈曲部を２箇所に有する突出部が形成されている請求項１〜３いずれか一項記載の粘着テープホルダ。
【請求項５】
前記繰出面と、前記粘着テープの一側面と対向する保持面を有する第１のケースと、
前記粘着テープの他側面と対向する保持面を有する第２のケースと、を有し、
前記第１のケースまたは前記第２のケースの一方の保持面に円筒部が設けられ、
前記第１のケースまたは前記第２のケースの他方の保持面に、前記円筒部にはめ込まれる円錐台部が設けられる請求項１〜４いずれか一項記載の粘着テープホルダ。
【請求項６】
前記円筒部の周面には、円周方向に突起が設けられている請求項５記載の粘着テープホルダ。
【請求項７】
前記円錐台部の上面には、凸部または凹部が設けられている請求項５又は６記載の粘着テープホルダ。
【請求項８】
前記テープ口が、前記第１の平面と、前記第２の平面のそれぞれに一つずつ設けられ、
前記角部の頂点に位置する辺から各テープ口の一端部に至る所定の長さの押圧面がそれぞれ設けられている請求項１〜７記載の粘着テープホルダ。
【発明の詳細な説明】
【技術分野】
【０００１】
本発明は、巻回された粘着テープを繰り出し可能に保持する粘着テープホルダに関する。
【背景技術】
【０００２】
ホワイトボード等に例えば黒色のラインを貼付するために、罫線引きテープと呼ばれる幅数ミリ程度の粘着テープが用いられている。罫線引きテープは、専用のテープホルダにより繰り出し可能に保持されている。従来の罫線引きテープ用のテープホルダでは、罫線引きテープの貼付対象と対向する平面を設け、この平面にテープが繰り出されるテープ口が設けられている。すなわち、テープホルダの下面にテープ口が設けられ、このテープ口から引き出された罫線引きテープを貼付対象に押し付けながらテープホルダを引っ張ることで、巻回された罫線引きテープを回転させることでテープを繰り出していた。
【先行技術文献】
【特許文献】
【０００３】
【特許文献１】特開２０１３-２４９１８８号公報
【発明の概要】
【発明が解決しようとする課題】
【０００４】
罫線引きテープは、所望の長さのテープがテープホルダから引き出された後カットされることになる。そこで、従来のテープホルダには、使用者がテープホルダを引っ張る方向とは反対側の端部に刃が設けられており、使用者はこの刃に罫線引きテープを押し当てることでテープをカットしていた。しかし、テープを刃に押し当てようとしてテープホルダの角度を変えると、テープホルダ内の巻回された罫線引きテープがさらに回転されてテープが繰り出されてしまうため、所望の位置でのテープカットが困難であった。
【０００５】
本発明は、上記課題を解決するために提案されたものであり、その目的は、所望の位置でのテープカットを容易に行うことができる粘着テープホルダを提供することである。
【課題を解決するための手段】
【０００６】
上記の課題を達成するために、本実施形態に係る粘着テープホルダは、次の構成を有する。
（１）巻回された粘着テープを保持する粘着テープホルダであって、保持される前記粘着テープの周面と対向する繰出面と、保持される前記粘着テープの側面と対向する保持面と、を有し、前記繰出面は、保持される前記粘着テープの接線と平行となるように設けられた第１の平面と、前記第１の平面と交差する第２の平面を含み、前記第１の平面と前記第２の平面により角部が形成され、前記第１の平面または前記第２の平面の少なくとも一方に、前記粘着テープが繰り出されるテープ口が設けられ、前記角部の頂点に位置する辺から前記テープ口の一端部に至る所定の長さの押圧面が設けられている。
【０００７】
（２）前記テープ口は、粘着テープの貼付対象に対して垂直方向に配置される面に設けられていても良い。
（３）前記テープ口の他端部側に凸部が設けられて。
【０００８】
（４）前記繰出面は、前記テープ口が設けられた平面に対して所定の角度をもって連続するように設けられた第３の平面と、第３の平面に対して所定の角度をもって連続するように設けられた第４の平面と、を含み、当該３つの平面により屈曲部を２箇所に有する突出部が形成されていても良い。
【０００９】
（５）前記繰出面と、前記粘着テープの一側面と対向する保持面を有する第１のケースと、前記粘着テープの他側面と対向する保持面を有する第２のケースと、を有し、前記第１のケースまたは前記第２のケースの一方の保持面に円筒部が設けられ、前記第１のケースまたは前記第２のケースの他方の保持面に、前記円筒部にはめ込まれる円錐台部が設けられていても良い。
【００１０】
（６）前記円筒部の周面には、円周方向に突起が設けられていても良い。
（７）前記円錐台部の上面には、凸部または凹部が設けられていても良い。
【００１１】
（８）前記テープ口が、前記第１の平面と、前記第２の平面のそれぞれに一つずつ設けられ、前記角部の頂点に位置する辺から各テープ口の一端部に至る所定の長さの押圧面がそれぞれ設けられていても良い。
【００１２】
本発明によれば、所望の位置でのテープカットを容易に行うことができる粘着テープホルダを提供することができる。
【図面の簡単な説明】
【００１３】
【図１】本実施形態の粘着テープホルダの一例を示す外観斜視図である。
【図２】粘着テープホルダの第１のケースの一例を示す分解図である。
【図３】粘着テープホルダの第２のケースの一例を示す分解図である。
【図４】粘着テープを収納した状態を示す分解図である。
【図５】粘着テープを貼付する動作を示す説明図である。
【図６】粘着テープを貼付する動作を示す説明図である。
【図７】第２のケースを第１のケースから取り外す動作を示す説明図である。
【図８】粘着テープホルダの変形例を示す側面図である。
【発明を実施するための形態】
【００１４】
以下、本発明を実施する形態について、図１〜４を参照して説明する。図１に示す通り、本実施形態の粘着テープホルダＨは、第１のケースＣ１と、第２のケースＣ２を有する。なお、例えば図４において示される粘着テープは、粘着テープの一例である幅数ｍｍの罫線引きテープである。ただし、本実施形態の粘着テープホルダは、紙、布、樹脂、金属などのテープ基材の片面に、接着剤が塗布された粘着面を有する粘着テープであって、粘着テープホルダＨの角部により切断可能な粘着テープに対して、幅広く適用可能である。
【００１５】
（第１のケース）
図１および２に示す通り、第１のケースＣ１は、粘着テープホルダＴに保持される粘着テープＴの周面と対向する繰出面１０と、粘着テープの周面の両端部と交差する両側面の一方と対向する保持面１１を有する。第１のケースＣ１の保持面１１は、保持する粘着テープの側面形状に対応した形をしており、基本的には円形の面の中央部に貫通孔１２が設けられたリング状の面である。ただし、粘着テープが繰り出される経路を構成する経路面１３と、後述する突出部２２を構成する突出面１４とが、リング状の面から連続するように形成されている。貫通孔１２は、円形の貫通孔であり、リング状の面の内周円を画成する。
【００１６】
なお、図２に示す写真では、保持面１１に半径方向に配置された長穴が複数設けられている例を図示している。このような長穴を設けることにより、粘着テープホルダＨに収納されている粘着テープの残量が粘着テープホルダＨの外部から視認可能となる。また、第１のケースＣまたは第２のケースを透明体とすることにより、長穴を設けずとも粘着テープの残量が視認可能となる。
【００１７】
第１のケースＣ１には、内周円において、保持面１０から垂直に立ちあがるように円筒部１５が設けられている。円筒部１５の外径は、保持される粘着テープの巻き芯の内径より小さくなるように形成されている。すなわち、円筒部１５は、粘着テープの巻き芯が嵌め込み可能に構成されている。
【００１８】
第１のケースに設けられた円筒部１５は、不図示の突起が円周方向に設けられていても良い。円周方向に設けられる突起は、リング状に連続して設けられる突起でも良い。また、不連続な突起を円周方向に複数配置する構成としても良い。本実施形態の粘着テープホルダＨは、２本の粘着テープを保持および繰出し可能に構成されている。そのため、円筒部１５には、１本又は２本の粘着テープを嵌め込むことが想定される。円周方向に突起を設けることにより、粘着テープの位置を規制することができる。
【００１９】
なお、粘着テープを２本嵌め込む場合には、他方の粘着テープと対向する側面の間に挟まれる剥離フィルムを備えても良い。剥離フィルムにより、２本の粘着テープの側面同士のくっ付きが確実に防止される。
【００２０】
さらに、第１のケースＣ１には、保持面１０を構成するリング状の面において、外周から垂直方向に立ち上がるように、壁面１６ａが設けられている。この壁面１６ａには、粘着テープの経路の一端となる内テープ口１７が設けられている。内テープ口１７は、１口又は２口設けることができる。図１では、２口の内テープ口１７ａ、１７ｂが、収納され粘着テープの軸に対して所定の角度に配置されている例を示す。第１のケースＣ１の円筒部１５に嵌め込まれた粘着テープは、内テープ口１７ａ、１７ｂを介して粘着テープホルダの外部に導出される。
【００２１】
また、リング状の面から連続するように設けられた経路面１３と段面１４の端部からも垂直方向に立ち上がるように、壁面１６ｂ、１６ｃがそれぞれ設けられている。これらの壁面１６ａ、１６ｂ、１６ｃは同一の高さを有し、円筒部１５と同一方向に立ち上がるように設けられている。よって、第２のケースＣ２が第１のケースＣ１に嵌め込まれた際に、壁面１６ａ、１６ｂ、１６ｃの端部が、後述する第２のケースＣ２の保持面３１に当接するように構成されている。ここでは、上記の壁面１６ａ、１６ｂ、１６ｃの内、粘着テープホルダＨの外形状として露出する面を繰出面１０と定義する。
【００２２】
図１に示す通り繰出面１０は、保持される粘着テープの接線と平行となるように設けられた第１の平面１０ａと、第１の平面１０ａと交差する第２の平面１０ｂを含む。従って、第１の平面１０ａと第２の平面１０ｂにより断面Ｌ字形状の角部１０ｃが形成されることとなる。なお、角部１０ｃの角度は必ずしも９０度である必要はなく、図１のように構成する場合には９０±５度程度であっても良い。粘着テープホルダＨは、この第１の平面１０ａ又は第２の平面１０ｂの少なくとも一方に、粘着テープが繰り出されるテープ口１８が設けられている。繰出面１０に設けられたテープ口１８は、内テープ口１７と連通するように構成されている。従って、内テープ口１７から繰出面１０のテープ口１８に至る、粘着テープの経路が形成される。
【００２３】
図１および２では、第１の平面１０ａのテープ口１８ａが、第２の平面１０ｂにテープ口１８ｂが、それぞれ設けられている例を図示している。テープ口１８ａは、内テープ口１７ａと連通されることにより、第１のテープ経路を画成する。テープ口１８ｂは、内テープ口１７ｂと連通されることにより、第２のテープ経路を画成する。上述の通り、粘着テープホルダＨは、２本の粘着テープを保持可能に構成されている。保持された２本の粘着テープの一方は、第１のテープ経路を介してテープ口１８ａより導出される。粘着テープの他方は、第２のテープ経路を介してテープ口１８ｂより導出される。
【００２４】
テープ口１８ａ、１８ｂは、角部１０ｃの頂点に位置する辺から所定の間隔を空けて配置されている。すなわち、角部１０ｃの頂点となる辺からテープ口１８ａ、１８ｂの一端部に至る壁面である押圧面１９が形成されている。図１および２の例では、テープ口１８ａの一端部側に押圧面１９ａが、テープ口１８ｂの一端部側に押圧面１９ｂが形成されている。粘着テープホルダＨの使用者は、この押圧面１９ａ、１９ｂに人差し指の先端を当てて粘着テープを押圧面１９ａ、１９ｂに押さえつけ、その上で粘着テープを角部１０ｃの頂点に位置する辺に押し当ててカットする。そのため、この押圧面１９ａ、１９ｂの長さは、人差し指の先端が押圧可能な長さとする必要がる。例えば、０．５ｃｍ〜５ｃｍ以下、より好ましくは０．５ｃｍ以上２ｃｍ以下とすることが好ましい。
【００２５】
なお、押圧面１９ａ、１９ｂの一部として、テープ口１８ａ、１８ｂが含まれていても良い。この場合、粘着テープを切断する際に、使用者は、例えば押圧面１９ａとテープ口１８ａの双方に人差し指の先端を当てて粘着テープを角部１０ｃの頂点に位置する辺に押し当ててカットする。
【００２６】
押圧面１９ａ、１９ｂは、角部１０ｃの頂点に位置する辺と並行に配置された棒状の凸部である棒突起２０を有していても良い。図１および２では、第１の平面１０ａおよび第２の平面１０ｂの押圧面１９ａ、１９ｂに、それぞれ２本の棒突起２０を設けた例を図示している。この棒突起２０は、使用者が押圧面１９ａ、１９ｂを指先で認識するために用いる突起である。また、テープ口１８ａ、１８ｂから繰り出された粘着テープの先端が、押圧面１９ａ、１９ｂと密着することを防止する役割を有する。
【００２７】
また、テープ口１８ａ、１８ｂは、粘着テープの貼付対象に対して垂直方向に配置される面に設けられている。図１の例では、第１の平面１０ａのテープ口１８ａが利用可能な状態を図示している。粘着テープの貼付対象に対して平行となる面である第２の平面１０ｂのテープ口は、図１の状態では利用できない。第２の平面１０ｂのテープ口１８ａを利用する場合には、図１の状態の粘着テープホルダを左に９０度回転させる。すると、第２の平面１０ｂのテープ口１８ｂが粘着テープの貼付対象に対して略垂直となるため、第２の平面１０ｂのテープ口１８ｂが利用可能な状態となる。
【００２８】
また、テープ口１８ａ、１８ｂの他端部側には、凸部２１が設けられていても良い。図１の例では、第１の平面１０ａのテープ口１８ａの他端部側に凸部２１が設けられている。この凸２１部は、テープ口１８ａから繰り出された粘着テープの基材を上方から押圧するための凸部である。従って、凸部２１は、粘着テープを傷つけないためにも、角がなく丸みを帯びた形状を有することが好ましい。
【００２９】
また、テープ口１８ａの他端部から凸部２１までの距離は、テープ口１８ａの一端部から角部１０ｃまでの距離と等しく形成されていてよい。粘着テープを貼り付ける際には、第１の平面１０ａが貼付対象に略垂直となるように配置して粘着テープの先端を貼付対象に貼り付けたあと、第１の平面１０ａが貼付対象に平行となるように粘着テープホルダＨを回転させる。これらの距離を等しく形成することにより、未だ上方から押圧されていない粘着テープの基材部分が、凸部２１により押圧される。
【００３０】
また、第１のケースＣ１の繰出面１は、テープ口１８ｂが設けられた第２の平面１０ｂに対して所定の角度を持って連続するように設けられた第３の平面１０ｄと、第３の平面１０ｄに対して所定の角度をもって連続するように設けられた第４の平面１０ｅと、を含む。第３の平面１０ｄは、第２の平面１０ｂにおいて角部１０ｃを構成する端部とは反対側の端部を、保持される粘着テープ側に約４５度屈曲させた平面である。第４の平面１０ｅは、第３の平面１０ｄにおいて第２の平面１０ｂと連続する端部とは反対側の端部に連続される、保持される粘着テープの接線と略平行となるように配置された平面である。
【００３１】
これらの第２の平面１０ｂ、第３の平面１０ｄ、第４の平面１０ｅにより、２つの屈曲部を有する突出部２２が繰出面１０の一部に形成される。突出部２２は、第３の平面１０ｄを上底とし、第２の平面１０ｂおよび第４の平面１０ｅが脚として連続する断面台形状の突出した部分である。ただし、台形の下底は、粘着テープホルダＨの構成要素として含まれていない。突出部２２において、第３の平面１０ｄは、粘着テープホルダＨの使用者の人差し指の根元部分が当接する面である。
【００３２】
（第２のケース）
図１および３に示す通り、第２のケースＣ２は、粘着テープの両側面の他方と対向する保持面３１を有する。第２のケースＣ２の保持面３１は、保持する粘着テープの側面形状に対応した形をしており、基本的には円形の面の中央部に貫通孔３２（図１に図示）が設けられたリング状の面である。ただし、粘着テープが繰り出される経路を構成する経路面３３と、突出部２２を構成する突出面３４とが、リング状の面から連続するように形成されている。貫通孔３２は、円形の貫通孔であり、リング状の面の内周円を画成する。
【００３３】
第２のケースＣ１の貫通孔３２は、第１のケースＣ１の貫通孔１２より一回り小さくなるように形成されている。そして、第２のケースＣ１には、第２のケースＣ１の貫通孔３２が画成するリング状の面の内周円において、保持面３１から立ち上がるように内周円を底面外周とする円錐台部３５が設けられている。円錐台部３５の上面中央部分には、凹部または凸部が設けられていても良い。図３の例では、凹部として貫通孔３５ａが設けられている場合を図示する。この貫通孔３５ａは、第２のケースＣ２を第１のケースＣ１から取り外す際に、使用者が感覚的に円錐台部３５の上面に触れることができるガイドとなる。貫通孔３５ａに代えて、突起等により凸部を設けてガイドとしても良い。
【００３４】
円錐台部３５の底面の外径は、円筒部１５の内径と略一致し、円錐台部３５を円筒部１５に嵌め込むことができるように構成されている。そのため、円錐台部３５を円筒部１５に嵌め込んだ場合、円錐台部３５は底面の外周において、円筒部１５と接触する。一方、円錐台部３５の上面の外周は、底面の外周より小さいため、円筒部１５とは接触しない。すなわち、円筒部１５に嵌め込まれた円錐台部３５は、周面の一部において円筒部１５と接触するが、他の部分においては円筒部１５と接触しない。この円筒部１５と円錐台部３５の構成により、第２のケースＣ２は第１のケースＣ１に対して着脱可能となる。
【００３５】
[２．動作]
（粘着テープの貼付動作）
上記実施形態の粘着テープホルダＨを用いて、貼付対象に粘着テープを張り付ける際の動作について図４〜６を用いて説明する。以下の説明では、図４に示す通り、２本の粘着テープが粘着テープホルダＨに保持されている場合を例に説明する。保持された２本の粘着テープの一方は、テープ口１８ａより導出される。粘着テープの他方は、テープ口１８ｂより導出される。また、粘着テープは、粘着剤が塗布された面が、第１の平面１０ａおよび第２の平面１０ｂに対向して繰り出される方向で、第１のケースＣ１の円筒部１５にセットされているものとする。
【００３６】
まず、第１の平面１０ａに設けられたテープ口１８ａから繰り出された粘着テープを、貼付対象に貼り付ける動作を説明する。図５（ａ）に示す通り、第１の平面が貼付対象に対して略垂直となるように配置する。その状態で、第１の平面１０ａのテープ口１８ａより粘着テープを導出し、引き出した粘着テープの粘着面を貼付対象に貼り付ける。そして、図５（ｂ）に示す通り、使用者が所望の方向に粘着テープホルダＨを引っ張ることで、粘着テープがさらに繰り出される。粘着テープホルダＨを引っ張る際に、使用者は粘着テープホルダＨを約９０度回転させて、第１の平面１０ａが貼付対象に対して平行となるように配置することができる。この際、テープ口１８ａの近傍に設けられた凸部２１で、粘着テープの粘着面と反対の面を貼付対象に対して押圧することで、引き出された粘着テープをより確実に貼付対象に貼り付けることができる。
【００３７】
図５（ｃ）に示す通り、粘着テープを所望の長さ引き出した後、使用者は、粘着テープホルダＨを約９０度反転させ、第１の平面１０ａが貼付対象に対して略垂直となるように配置する。そして、例えば人差し指を用いて、粘着テープを押圧面１９ａに押さえつける。この動作により、粘着テープホルダＨ内に収納されている巻回された粘着テープの回転がロックされる。その状態で、人差し指の先端で、粘着テープを、第１の平面１０ａと、第２の平面１０ｂが形成する角部１０ｃの頂点に位置する辺に押し当てながら、粘着テープホルダＨを上方に傾ける。すると、角部１０ｃの頂点に位置する辺に押し当てられた部分で、粘着テープが切断される。
【００３８】
次に、第２の平面１０ｂのテープ口１８ｂから繰り出された粘着テープを、貼付対象に貼り付ける動作を説明する。図６（ａ）に示す通り、第２の平面１０ｂが貼付対象に対して略垂直となるように配置する。その状態で、テープ口１８ｂより粘着テープを導出し、引き出した粘着テープの粘着面を貼付対象に貼り付ける。そして、図６（ｂ）に示すように、使用者が所望の方向に粘着テープホルダＨを引っ張ることで、粘着テープがさらに繰り出される。粘着テープホルダＨを引っ張る際に、使用者は粘着テープホルダを約９０度回転させて、第２の平面１０ｂが貼付対象に対して略垂直となるように配置することができる。この際、第２の平面１０ｂと第３の平面１０ｄが形成する屈曲部で、粘着テープの粘着面と反対の面を貼付対象に対して押圧することで、引き出された粘着テープをより確実に貼付対象に貼り付けることができる。
【００３９】
図６（ｃ）に示す通り、粘着テープを所望の長さ引き出した後、使用者は、粘着テープホルダを約９０度反転させ、第２の平面１０ｂが貼付対象に対して略垂直となるように配置する。そして、例えば人差し指を用いて、粘着テープを押圧面１９ｂに押さえつける。この動作により、粘着テープホルダＨ内に収納されている巻回された粘着テープの回転がロックされる。その状態で、人差し指の先端で、粘着テープを、第１の平面１０ａと、第２の平面１０ｂが形成する角部１０ｃの頂点に位置する辺に押し当てながら、粘着テープホルダＨを上方に傾ける。すると、角部１０ｃの頂点に位置する辺に押し当てられた部分で、粘着テープが切断される。
【００４０】
以上のようにして、本実施形態の粘着テープホルダＨを用いて、第１の平面１０ａのテープ口１８ａおよび第２の平面１０ｂのテープ口１８ｂを介する粘着テープの貼付が行われる。テープ口１８ａおよびテープ口１８ｂの双方において、粘着テープを切断した後は、粘着テープの先端は棒突起２０に貼り付けられた状態となる。そのため、次回粘着テープホルダを使用する際に粘着テープが押圧面に密着して剥がしにくくなることが防止される。
【００４１】
（ケース脱着方法）
粘着テープホルダに収納されている粘着テープを交換する際には、図７に示す通り、第２のケースＣ２を第１のケースＣ１から取り外して行う。使用者が、第１のケースＣ１の保持面１１を手前に向けて持つと、第２のケースＣ２の円錐台部３５の上面が、第１のケースＣ１の保持面１１に設けられた貫通孔１２から視認可能となる。この状態で、使用者が第１のケースＣ１側から、第２のケースＣ２の円錐台部３５の上面を押すと、第２のケースＣ２を第１のケースＣ１から取り外すことができる。なお、第２のケースＣ２の取り外しは、目視で円錐台部３５を確認せずとも行うことができる。すなわち、使用者は、第２ケースＣ２の円錐台部３５の上面に設けられた貫通孔３５ａに、例えば親指を当てて押すことで、第２のケースＣ２を第１のケースＣ１から取り外すことができる。
【００４２】
[３．作用効果]
本実施形態の粘着テープホルダが奏する作用効果は、以下の通りである。
（１）巻回された粘着テープを保持する粘着テープホルダＨであって、保持される粘着テープの周面と対向する繰出面１０と、保持される粘着テープの側面と対向する保持面１１と、を有し、繰出面１０は、保持される粘着テープの接線と平行となるように設けられた第１の平面１０ａと、第１の平面１０ａと交差する第２の平面１０ｂを含み、第１の平面１０ａと第２の平面１０ｂにより角部１０ｃが形成され、第１の平面１０ａまたは第２の平面１０ｂの少なくとも一方に、粘着テープが繰り出されるテープ口１８が設けられ、角部１０ｃの頂点に位置する辺からテープ口１８の一端部に至る所定の長さの押圧面１９が設けられている。
【００４３】
この構成により、繰り出された粘着テープを、人差し指等で押圧面１９に押し当てつつ、粘着テープホルダＨを上方に傾けることで、粘着テープが角部１０ｃの位置で切断することができる。粘着テープは所望の位置で押圧面１９に押し付けられているため、切断の際に必要以上に繰り出されることが無い。従って、所望の位置でのテープカットを容易に行うことができる粘着テープホルダＨを提供することができる。
【００４４】
また、粘着テープホルダＨでは、第１の平面１０ａと第２の平面１０ｂにて構成される角部１０ｃで粘着テープが切断される。そのため、粘着テープホルダＨは、粘着テープを切断するための刃を有しない。従来の粘着テープホルダは粘着テープ切断用の刃を有していたが、この刃により貼付対象の紙面やホワイトボードが傷つく可能性があった。また、粘着テープホルダに刃を設けるには、金型にスライドを挿入したり、別部材として製作した刃を後から組み立てる必要があった。本実施形態の粘着テープホルダＨでは、刃を有する粘着テープホルダと比較して、安全性に優れ、かつ低コストで製造することができる。
【００４５】
（２）テープ口１８は、粘着テープの貼付対象に対して垂直方向に配置される面に設けられていても良い。
【００４６】
粘着テープホルダＨは、テープ口１８を粘着テープの貼付対象に対して垂直方向に配置される面に設けることにより、角部１０ｃで粘着テープを切断可能としている。従来の粘着テープホルダは、テープ口を粘着テープの貼付対象に対して平行となる面に設けていた。このような構成では、テープ口の近傍に刃を設ける必要が生じてしまう。本実施形態の粘着テープホルダＨでは、テープ口１８を粘着テープの貼付対象に対して略垂直となる面に設けることで、角部１０ｃでも切断を可能にしている。
【００４７】
（３）テープ口１８の他端部側に凸部２１が設けられていてもよい。
【００４８】
粘着テープの貼付の際には、使用者は、粘着テープホルダＨのテープ口１８を粘着テープの貼付対象に対して略垂直方向に配置する。そのため、テープ口１８と貼付対象の間には空間が生じ、粘着テープの貼付が一見すると難しくなる。しかし、上述の通り、粘着テープの貼付時には、粘着テープホルダＨを回転させ、テープ口１８を粘着テープの貼付対象に対して平行となるように配置した上で、凸部２１により貼付した粘着テープの上面を押圧する。従って、より確実に粘着テープを貼付することが可能となる。
【００４９】
（４）繰出面１０は、テープ口１８が設けられた平面に対して所定の角度をもって連続するように設けられた第３の平面１０ｄと、第３の平面１０ｄに対して所定の角度をもって連続するように設けられた第４の平面１０ｅと、を含み、当該３つの平面により屈曲部を２箇所に有する突出部２２が形成されていても良い。
【００５０】
突出部２２が近傍に設けられたテープ口１８ｂは、テープ口１８ａを用いるときに人差し指が触れる部分の繰出面１０の距離よりも、人差し指が触れる部分の繰出面１０の距離が短くなる。そのため、手の大きさに合わせて所望のテープ口１８を用いて粘着テープの貼付を行うことで、使用者の使用感が良好となり、作業性を向上させることができる。
【００５１】
（５）繰出面１０と、粘着テープの一側面と対向する保持面１１を有する第１のケースＣ１と、粘着テープの他側面と対向する保持面３１を有する第２のケースＣ２と、を有し、第１のケースＣ１または第２のケースＣ２の一方の保持面１１に円筒部１５が設けられ、第１のケースＣ１または第２のケースＣ２の他方の保持面３１に、円筒部１５にはめ込まれる円錐台部３５が設けられる。
【００５２】
円筒部１５と円錐台部３５により、ワンプッシュで第１のケースＣ１から第２のケースＣ２を取り外すことができる。従来の粘着テープホルダは、複数の突起を一方のケースに設け、その突起に対応する複数の孔を他方のケースに設けていた。そのため、各突起と各孔を合わせてから取り付ける必要があった。また取り外しの際は、全ての突起を孔から取り外す必要があり、ケースに力を加えて引っ張る必要があった。そのため、ケースの破損の可能性があり、また、作業が煩雑化していた。一方、本実施形態の粘着テープホルダＨでは、１度の操作で取り外しおよび取り付けが可能となる。
【００５３】
（６）円筒部１５の周面には、円周方向に突起が設けられていても良い。
【００５４】
円筒部１５に突起を設けることにより、粘着テープの位置を規制することができる。従って、粘着テープが１本嵌め込まれている場合には、粘着テープホルダ内部で粘着テープのグラつきを防止することができる。また、粘着テープが２本嵌め込まれている場合には、グラつき防止に加え、２本の粘着テープの側面同士のくっ付きを抑制することができる。
【００５５】
（７）円錐台部３５の上面には、凸部または凹部が設けられていてもよい。
【００５６】
第２ケースＣ２の円錐台部３５の上面に設けられた円錐台３５の凸部または凹部を利用して、使用者は、視覚的な確認をせずとも、第２のケースＣ２を第１のケースＣ１から取り外すことができる。そのため、作業性が向上される。
【００５７】
（８）テープ口１８が、第１の平面１０ａと、第２の平面１０ｂのそれぞれに一つずつ設けられ、角部１０ｃの頂点に位置する辺から各テープ口１８の一端部に至る所定の長さの押圧面１９がそれぞれ設けられていても良い。
【００５８】
粘着テープホルダＨは、２つのテープ口１８ａ、１８ｂを有している。そのため、一つの粘着テープホルダＨで２種類の粘着テープを貼付することが可能となる。使用者は、例えば粘着テープの色を変えるために、粘着テープホルダＨを持ち替えることで貼付する粘着テープの種類を交換することができる。そのため、収納されている粘着テープを使用のたびに交換する必要がなくなり、作業性が向上する。また、本実施形態の粘着テープホルダＨの構成によれば、２つのテープ口１８ａ、１８ｂが、切断部位としての角部１０ｃを共有することができるため、構造が複雑化せず、製造コストが低減される。
【００５９】
以上の説明では、本発明のいくつかの実施形態とその変形例を説明した。ただし、実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。
【００６０】
図８に、粘着テープホルダＨの変形例を示す。図８の例では、第１の平面が湾曲形状４０を有している。テープ口１８ａは、湾曲形状４０に設けられている。第１の平面を湾曲形状４０とすることで、使用者の人差し指にフィットしやすい形状とすることができる。
【００６１】
上記の実施形態では、角部１０ｃの角度を９０土５度とした。ただし、角部１０ｃの角度は、これに限定されない。例えば、粘着テープホルダＨは、第１の平面１０ａに設けられた凸部２１に変えて、第１の平面１０ａのテープ口１８ａの他端部を曲面形状とし、この曲面形状により粘着テープを上方から押圧する構造とすることもできる。その場合には、角部１０ｃの角度を１２０±１０度とした上で、テープ口１８ａの他端部を粘着テープ側に向かって湾曲する曲面形状とすればよい。
【符号の説明】
【００６２】
Ｈ…粘着テープホルダ
Ｃ１…第１のケース
Ｃ２…第２のケース
１０…繰出面
１０ａ…第１の平面
１０ｂ…第２の平面
１０ｃ…角部
１０ｄ…第３の平面
１０ｅ…第４の平面
１１、３１…保持面
１２、３２、３５ａ…貫通孔
１３、３３…経路面
１４、３４…突出面
１５…円筒部
１６ａ、１６ｂ、１６ｃ…壁面
１７、１７ａ、１７ｂ…内テープ口
１８、１８ａ、１８ｂ…テープ口
１９、１９ａ、１９ｂ…押圧面
２０…棒突起
２１…凸部
２２…突出部
３５…円錐台部
４０…湾曲形状
【図１】
2020079125.tif 000003
【図２】
2020079125.tif 000004
【図３】
2020079125.tif 000005
【図４】
2020079125.tif 000006
【図５】
2020079125.tif 000007
【図６】
2020079125.tif 000008
【図７】
2020079125.tif 000009
【図８】
2020079125.tif 000010